(57)【特許請求の範囲】
【請求項１】
通信端末装置がダイバーシチハンドオーバ中である旨の第１情報を制御局装置に通知する第１通知手段と、位置検出中である旨の第２情報を前記制御局装置に通知する第２通知手段と、ダイバーシチハンドオーバ中に位置検出を行う場合、前記制御局装置から報知された位置検出を実行するのに十分な値に目標品質を変更する旨の第３情報を受信する受信手段と、前記第３情報に基づいて目標品質を変更し、前記通信端末装置に対して前記変更後の目標品質で送信電力制御を行う送信電力制御手段と、を具備することを特徴とする無線基地局装置。
【請求項２】
アレーアンテナの特性を利用して通信端末装置の方向を検出し、伝搬遅延に基づいて前記通信端末装置までの距離を検出することにより通信端末装置の位置を検出する無線基地局装置であって、
ダイバーシチハンドオーバ中に位置検出を行う場合に目標品質を上げる目標品質変更手段と、前記通信端末装置に対して変更後の目標品質で送信電力制御を行う送信電力制御手段とを具備することを特徴とする無線基地局装置。
【請求項３】
ダイバーシチハンドオーバ中に位置検出を行う場合、位置検出を実行するのに十分な値に目標品質を変更する旨の前記第３情報を請求項１記載の無線基地局装置に報知することを特徴とする制御局装置。
【請求項４】
サービスの要求精度に応じて送信電力制御の目標品質を制御することを特徴とする請求項３記載の制御局装置。
【請求項５】
無線基地局装置が、制御局装置に、通信端末装置がダイバーシチハンドオーバ中である旨の第１情報及び位置検出中である旨の第２情報を通知し、
ダイバーシチハンドオーバ中に位置検出を行う場合、前記制御局装置が、前記通信端末装置と通信中の無線基地局装置に、位置検出を実行するのに十分な目標品質を示す第３情報を報知し、
前記通信端末装置と通信中の無線基地局装置が、前記第３情報に基づく目標品質で送信電力制御を行うことを特徴とする送信電力制御方法。
【発明の詳細な説明】
【０００１】
【発明の属する技術分野】
本発明は、通信中の端末装置の位置を検出する機能を有する無線基地局装置及び送信電力制御方法に関する。
【０００２】
【従来の技術】
ＣＤＭＡ方式の無線通信システムにおいて、基地局装置にて、通信中の端末装置の位置を検出する方法が、「Ｒｅｑｕｉｒｅｍｅｎｔｓ  ａｎｄ  Ｏｂｊｅｃｔｉｖｅｓ  ｆｏｒ  ３Ｇ  Ｍｏｂｉｌｅ  Ｓｅｒｖｉｃｅｓ  ａｎｄ  Ｓｙｓｔｅｍ（ＡＲＩＢ）１９９８．７．２１」等に開示されている。
【０００３】
図５は、位置検出機能を有する基地局装置を含む無線通信システムを示す図である。基地局装置１が無線通信を行っている端末装置２の位置を検出する場合、まず、アレーアンテナの特性を利用して、受信信号の到来方向から自局に対する端末装置２の方向角θを検出する。この端末装置の方向を検出する方法は、「アレーアンテナによる適応信号処理技術と高分解能到来波推定入門コース」等に開示されている。
【０００４】
そして、基地局装置１は、自局に対する端末装置２の方向角θを検出した後、自局に対する端末装置２の距離を測定する。以下、基地局装置１と端末装置２との距離Ｌの測定方法を図６のスロットタイミングを示す図を用いて説明する。
【０００５】
基地局装置１から送信された下り信号が端末装置２に届くまでに伝搬遅延τだけ時間がかかる。同様に、端末装置２から送信された上り信号が基地局装置１に届くまでに伝搬遅延τだけ時間がかかる。また、端末装置２が下り信号の受信を完了してから上り信号の送信を開始するまでに装置遅延δだけ時間がかかる。なお、この装置遅延δは、各部の処理遅延やタイミングジッタ等により発生するものである。
【０００６】
図６に示すように、基地局装置１においては、スロット長Ｓ及び装置遅延δが既知であるので、端末装置２に対して下り信号の送信を開始してから端末装置２が送信した上り信号の受信を開始するまでの時間Ｔを測定することにより、以下に示す式（１）から伝搬遅延τを算出することができる。
【０００７】
τ＝（Ｔ−Ｓ−δ）／２        （１）
そして、基地局装置１は、光速をＣとすると、以下に示す式（２）により、自局と端末装置２との距離Ｌを算出することができる。
【０００８】
Ｌ＝τ×Ｃ                    （２）
ここで、マルチパス環境では、送信側から受信側に直接届く直接波以外に山や建物等に反射してから届く遅延波がある。一般に、ＣＤＭＡなどの遅延波に対する分解能が高い通信方式では、受信品質を向上させるために、到達時間がそれぞれ異なる直接波及び遅延波の受信信号を合成するＲＡＫＥ合成を行う。また、ＣＤＭＡでは、所望受信品質を維持しながら他局の干渉を低減するために、受信信号の電力値に基づいて送信電力制御を行う。
【０００９】
【発明が解決しようとする課題】
無線通信システムにおいては、端末装置が通信中の基地局から遠ざかっていった場合に、隣の基地局との通信へ移行するハンドオーバ処理を行なう。このハンドオーバ処理の中に、複数の基地局（基地局Ａと基地局Ｂ）と同時に通信するダイバーシチハンドオーバ処理がある。このダイバーシチハンドオーバ中では、無線ネットワーク制御装置は、複数の基地局の受信信号を合成して交換機へ送る処理を行なう。
【００１０】
このダイバーシチハンドオーバ中に上述したような端末装置の位置検出を行なう場合、端末装置から基地局に届く信号の品質が悪くなり、位置検出精度が劣化するという問題がある。
【００１１】
また、ダイバーシチハンドオーバ中に送信電力制御を行なう際には、いずれか片方の基地局において受信品質を満たすように制御を行なう。したがって、いずれかの基地局の受信品質が良ければ、システムにおける干渉を低減するために、他の基地局から移動局へ送信電力を下げるように指示を送る。ここで、基地局Ａで位置検出をしている場合において、基地局Ｂから移動局へ送信電力を下げるようなコマンドを送ると、移動局は送信電力を下げるので基地局Ａにおける位置検出性能は劣化する。
【００１２】
また、ダイバーシチハンドオーバ中において、両方の基地局で位置検出するとした場合でも、受信品質は不安定になり、位置検出精度が悪くなる。
【００１３】
本発明はかかる点に鑑みてなされたものであり、ダイバーシチハンドオーバ中においても端末装置の位置を精度良く検出することができる無線基地局装置及び送信電力制御方法を提供することを目的とする。
【００１４】
【課題を解決するための手段】
本発明の骨子は、ダイバーシチハンドオーバ中の位置検出時の送信電力制御において、制御局装置が、通信端末装置と通信中の無線基地局装置に位置検出を実行するのに十分な目標品質を示す情報を報知し、当該無線基地局装置が、その目標品質で送信電力制御を行うことである。
【００１５】
【発明の実施の形態】
本発明の第１の態様に係る無線基地局装置は、通信端末装置がダイバーシチハンドオーバ中である旨の第１情報を制御局装置に通知する第１通知手段と、位置検出中である旨の第２情報を前記制御局装置に通知する第２通知手段と、ダイバーシチハンドオーバ中に位置検出を行う場合、前記制御局装置から報知された位置検出を実行するのに十分な値に目標品質を変更する旨の第３情報を受信する受信手段と、前記第３情報に基づいて目標品質を変更し、前記通信端末装置に対して前記変更後の目標品質で送信電力制御を行う送信電力制御手段と、を具備する構成を採る。
【００１７】
本発明の第２の態様に係る無線基地局装置は、アレーアンテナの特性を利用して通信端末装置の方向を検出し、伝搬遅延に基づいて前記通信端末装置までの距離を検出することにより通信端末装置の位置を検出する無線基地局装置であって、ダイバーシチハンドオーバ中に位置検出を行う場合に目標品質を上げる目標品質変更手段と、前記通信端末装置に対して変更後の目標品質で送信電力制御を行う送信電力制御手段とを具備する構成を採る。
【００１８】
本発明の第３の態様に係る制御局装置は、ダイバーシチハンドオーバ中に位置検出を行う場合、位置検出を実行するのに十分な値に目標品質を変更する旨の前記第３情報を上記の無線基地局装置に報知する構成を採る。
【００１９】
本発明の第４の態様に係る制御局装置は、第３の態様において、サービスの要求精度に応じて送信電力制御の目標品質を制御する構成を採る。
【００２０】
これらの構成によれば、受信品質が不安定であるダイバーシチハンドオーバ中においても支障なく位置検出できるレベルに送信電力を制御することが可能となる。これにより、位置検出の精度が向上する。
【００２３】
本発明の第５の態様に係る送信電力制御方法は、無線基地局装置が、制御局装置に、通信端末装置がダイバーシチハンドオーバ中である旨の第１情報及び位置検出中である旨の第２情報を通知し、ダイバーシチハンドオーバ中に位置検出を行う場合、前記制御局装置が、前記通信端末装置と通信中の無線基地局装置に、位置検出を実行するのに十分な目標品質を示す第３情報を報知し、前記通信端末装置と通信中の無線基地局装置が、前記第３情報に基づく目標品質で送信電力制御を行う方法を採る。
【００２６】
この方法によれば、受信品質が不安定であるダイバーシチハンドオーバ中においても支障なくサービスを提供できるレベルに送信電力を制御することが可能となる。
【００２９】
以下、本発明の実施の形態について、添付図面を参照して詳細に説明する。
図１は、本発明の実施の形態に係る無線基地局装置（Ｂａｓｅ  Ｓｔａｔｉｏｎ）、通信端末装置である移動局装置（Ｍｏｂｉｌｅ  Ｓｔａｔｉｏｎ）、及び無線基地局装置を制御する無線ネットワークコントローラ（Ｒａｄｉｏ  Ｎｅｔｗｏｒｋ  Ｃｏｎｔｒｏｌｌｅｒ）の構成を示すブロック図である。
【００３０】
まず、ダイバーシチハンドオーバについて図１を用いて説明する。通信端末である移動局１０３は、基地局ａ１０１及び基地局ｂ１０２に対して同時に通信を行うダイバーシチハンドオーバ状態にある。ここでは、移動局１０３に対して基地局ａ１０１から位置検出を行っている場合について考える。
【００３１】
基地局ａ１０１及び基地局ｂ１０２は、移動局１０３がダイバーシチハンドオーバ状態になったことを無線ネットワークコントローラ１０４に通知する。そして、無線ネットワークコントローラ１０４は、基地局ａ１０１及び基地局ｂ１０２に移動局１０３へ送信するデータを送る。
【００３２】
基地局ａ１０１では、移動局１０３にデータを拡散符号Ａで拡散して送信し、基地局ｂ１０２では、移動局１０３にデータを拡散符号Ｂで送信する。移動局１０３では、基地局ａ１０１からの信号を拡散符号Ａで逆拡散し、基地局ｂ１０２からの信号を拡散符号Ｂで逆拡散し、それぞれの信号を合成する。
【００３３】
移動局１０３は、データを拡散符号Ｃで拡散して送信する。基地局ａ１０１では、受信信号を拡散符号Ｃで逆拡散して無線ネットワークコントローラ１０４に送る。同様に、基地局ｂ１０２でも、受信信号を拡散符号Ｃで逆拡散して無線ネットワークコントローラ１０４に送る。無線ネットワークコントローラ１０４では、両方の基地局からの信号を合成又は選択してネットワークへ送る。
【００３４】
次に、ダイバーシチハンドオーバ中の送信電力制御について説明する。ダイバーシチハンドオーバ中は、先に説明したとおりいずれかの基地局で受信品質が良ければよい。したがって、無線ネットワークコントローラに集められた信号に基づいて送信電力制御を基地局ａ１０１と基地局ｂ１０２に対して共通に行った方がよい。
【００３５】
しかしながら、無線ネットワークコントローラへ信号を集めてからまた基地局へ送信電力制御情報を戻したのでは制御遅延が大きくなってしまい、送信電力制御を正しく行うことができない。したがって、基地局ａ１０１及び基地局ｂ１０２で受信品質が過剰によくならないように独立に制御する。すなわち、移動局１０３は、基地局ａ１０１及び基地局ｂ１０２からの送信電力制御コマンドが両方とも“上げろ”の場合のみ送信電力を上げるように制御する。このような場合、いずれかの基地局が下げるように指示したときには、移動局は送信電力を下げる。したがって、基地局ａ１０１で移動局の位置検出を行っていると位置検出性能が不安定になる。
【００３６】
このような場合には、以下の処理を行う。基地局ａ１０１及び基地局ｂ１０２から無線ネットワークコントローラ１０４へ移動局１０３がダイバーシチハンドオーバ状態であることを通知する。無線ネットワークコントローラでは、この情報を受けて、送信電力制御の目標品質（例えばレベル）を位置検出に十分となるように変更し、基地局ａ１０１及び基地局ｂ１０２にその旨を通知する。
【００３７】
それぞれの無線基地局装置は、独立に送信電力制御を行っており、送信電力制御の目標品質を上げることによって、それぞれの基地局に届く受信電力の品質が上がり、このため、位置検出性能も向上する。この処理は、無線ネットワークコントローラから複数の基地局に同時に送信電力制御の目標品質を変更するという簡易な処理であり、非常に効果的な結果を得ることができる。
【００３８】
具体的に、上述した基地局装置と端末装置の動作について図２及び図３を用いて説明する。図２は、本発明の実施の形態に係る無線基地局装置の構成を示すブロック図である。ここでは、ＣＤＭＡ（Ｃｏｄｅ  Ｄｉｖｉｓｉｏｎ  Ｍｕｌｔｉｐｌｅ  Ａｃｃｅｓｓ）方式を想定する。
【００３９】
図２は、本発明の実施の形態に係る位置検出装置を搭載した基地局装置の構成を示すブロック図である。図２において、受信ＲＦ部２１５〜２１７は、それぞれアンテナ２１２〜２１４で受信された信号を増幅し、中間周波数又はベースバンド周波数に周波数変換し、直交検波して、マッチドフィルタ２１８〜２２０に出力する。マッチドフィルタ２１８〜２２０は、それぞれ受信ＲＦ部２１５〜２１７の出力信号に固有の拡散符号を乗算することにより逆拡散を行い、遅延プロファイル測定回路２３０及び選択回路２２７〜２２９に出力する。
【００４０】
遅延プロファイル測定回路２３０は、マッチドフィルタ２１８〜２２０の遅延プロファイル（所定時刻における受信電力）を測定し、測定結果をタイミング検出回路２２２に出力する。図４は、遅延プロファイルの測定結果の一例を示す図である。図４において、横軸が時間であり、縦軸が電力である。無線通信では、送信した信号が受信側に直接届く直接波の他に、山やビル等に反射した後に届く遅延波が存在する。図４では、時刻ｔ０に電力ｐ０の直接波の信号が届き、時刻ｔ１に電力ｐ１の遅延波の信号が届くことを示している。
【００４１】
タイミング検出回路２２２は、信号が到達した時刻を遅延プロファイルから検出し、検出した中で最も速い受信パスの到達時刻情報を選択回路２２７〜２２９及び位置検出回路２２４に出力する。
【００４２】
選択回路２２７〜２２９は、それぞれタイミング検出回路２２２から出力された情報に基づいて、最も速い信号の到達時刻におけるマッチドフィルタ２１８〜２２０の出力信号を到来方向推定回路２２１に出力する。
【００４３】
到来方向推定回路２２１は、選択回路２２７〜２２９の出力信号から受信信号の到来方向を推定して自局に対する端末装置の方向角を検出し、検出した方向角の情報を位置検出回路２２４に出力する。
【００４４】
位置検出回路２２４は、最も速い信号の到達時刻の情報とタイミングオフセット情報から伝搬遅延を測定し、自局と通信端末装置との距離を算出する。そして、位置検出回路２２４は、自局と通信端末装置との距離及び方向角を示す端末位置情報を図示しない中央制御局に出力する。
【００４５】
アンテナ共用器２０２は、送信と受信とで同一のアンテナを用いるためのものであり、アンテナ２０１で受信された信号を受信ＲＦ部２０３に出力し、送信ＲＦ部２１１から出力された送信信号をアンテナ２０１に送る。
【００４６】
受信ＲＦ部２０３は、アンテナ共用器２０２から入力した受信信号を増幅し、中間周波数又はベースバンド周波数に周波数変換して、マッチドフィルタ２０４に出力する。マッチドフィルタ２０４は、受信ＲＦ部２０３の出力信号に固有の拡散符号を乗算することにより逆拡散を行い、遅延プロファイル測定回路２２５及び選択回路２２６に出力する。
【００４７】
遅延プロファイル測定回路２２５は、マッチドフィルタ２０４の出力信号の遅延プロファイルを測定し、測定結果をタイミング検出回路２３１に出力する。タイミング検出回路２３１は、信号が存在する時刻を遅延プロファイルから検出し、検出した時刻の情報を選択回路２２６に出力する。
【００４８】
選択回路２２６は、マッチドフィルタ２０４の出力信号をチャネル推定回路２０５，２０６に出力する。具体的には、チャネル推定回路２０５へ先行波を送り、チャネル推定回路２０６へ遅延波を送る。チャネル推定回路２０５，２０６では、受信信号のフェージングによる位相と振幅の変動を推定する。そして、ＲＡＫＥ合成回路２０７において、先行波と遅延波の時刻を合わせ、先行波についてはチャネル推定回路２０５で推定したフェージングの位相と振幅の変動を補償し、遅延波についてはチャネル推定回路２０６で推定したフェージングの位相と振幅の変動を補償する。
【００４９】
そして、ＲＡＫＥ合成回路２０７は、補正後の各信号をＲＡＫＥ合成して復調し、データ部分を図示しない中央制御局に出力し、電力制御コマンドを送信ＲＦ部２１１に出力する。また、ＲＡＫＥ合成回路２０７は、上記のように補償された受信データを加算してＲＡＫＥ合成を行ない、受信信号を得る。
【００５０】
また、チャネル推定回路２０５，２０６からのチャネル推定値は、送信電力制御回路２０８にも出力される。多重回路２０９においては、送信電力制御回路２０８で算出した送信電力制御コマンドと送信信号を多重する。この結果を変調回路２１０でＱＰＳＫ変調等の一次変調及び拡散変調を行なう。送信ＲＦ部２１１では、直交変調、周波数変換、増幅処理等を行なう。なお、増幅については、受信した送信電力制御コマンドに基づいて電力を制御する。この無線信号をアンテナ共用器２０２を通じてアンテナ２０１から送信する。
【００５１】
また、図３は、上記無線基地局装置と無線通信を行なう通信端末装置の構成を示すブロック図である。この端末装置では、ダイバーシチハンドオーバを行なうために、受信系統が２系統設けてある。
【００５２】
アンテナ共用器３０２は、送信と受信とで同一のアンテナを用いるためのものであり、アンテナ３０１で受信された信号を受信ＲＦ部３０３ａ，３０３ｂに出力し、送信ＲＦ部３１３から出力された送信信号をアンテナ３０１に送る。
【００５３】
受信ＲＦ部３０３ａ，３０３ｂは、アンテナ共用器３０２から入力した受信信号を増幅し、中間周波数又はベースバンド周波数に周波数変換して、それぞれマッチドフィルタ３０４ａ，３０４ｂに出力する。マッチドフィルタ３０４ａ，３０４ｂは、それぞれ受信ＲＦ部３０３ａ，３０３ｂの出力信号に固有の拡散符号を乗算することにより逆拡散を行い、遅延プロファイル測定回路３０７及び選択回路３０５ａ，３０５ｂに出力する。
【００５４】
遅延プロファイル測定回路３０７は、マッチドフィルタ３０４ａ，３０４ｂの出力信号の遅延プロファイルを測定し、測定結果をタイミング検出回路３０８に出力する。タイミング検出回路３０８は、信号が存在する時刻を遅延プロファイルから検出し、検出した時刻の情報をそれぞれ選択回路３０５ａ，３０５ｂに出力する。
【００５５】
選択回路３０５ａ，３０５ｂは、それぞれマッチドフィルタ３０４ａ，３０４ｂの出力信号をチャネル推定回路３０６ａ，３０６ｂに出力する。具体的には、チャネル推定回路３０６ａへ先行波を送り、チャネル推定回路３０６ｂへ遅延波を送る。チャネル推定回路３０６ａ，３０６ｂでは、それぞれ受信信号のフェージングによる位相と振幅の変動を推定する。そして、ＲＡＫＥ合成回路３０９において、先行波と遅延波の時刻を合わせ、先行波についてはチャネル推定回路３０６ａで推定したフェージングの位相と振幅の変動を補償し、遅延波についてはチャネル推定回路３０６ｂで推定したフェージングの位相と振幅の変動を補償する。
【００５６】
そして、ＲＡＫＥ合成回路３０９は、補正後の各信号をＲＡＫＥ合成して復調し、データ部分を図示しない中央制御局に出力し、電力制御コマンドを送信ＲＦ部３１３に出力する。また、ＲＡＫＥ合成回路３０９は、上記のように補償された受信データを加算してＲＡＫＥ合成を行ない、受信信号を得る。
【００５７】
また、チャネル推定回路３０６ａ，３０６ｂからのチャネル推定値は、送信電力制御回路３１０にも出力される。多重回路３１１においては、送信電力制御回路３１０で算出した送信電力制御コマンドと送信信号を多重する。この結果を変調回路３１２でＱＰＳＫ変調等の一次変調及び拡散変調を行なう。送信ＲＦ部３１３では、直交変調、周波数変換、増幅処理等を行なう。なお、増幅については、受信した送信電力制御コマンドに基づいて電力を制御する。この無線信号をアンテナ共用器３０２を通じてアンテナ３０１から送信する。
【００５８】
次に、上記構成を有する本発明の無線基地局装置のダイバーシチハンドオーバ状態で位置検出を行なう動作について説明する。通信端末装置が、ダイバーシチハンドオーバ状態であることを無線ネットワークコントローラへ送った場合を想定する。
【００５９】
無線ネットワークコントローラでは、端末装置に対してダイバーシチハンドオーバ対象である全ての基地局に対して送信電力制御の目標品質を上げるように変更を指示する。この変更の指示は、基地局の送信電力制御回路２０８に目標品質として入力される。各基地局では、変更された目標品質に基づいて送信電力制御を行なう。送信電力制御の方法は、例えば受信信号中の所望波電力（Ｓ）と干渉波電力（Ｉ）を測定し、その比（ＳＩＲ）が目標品質よりも下ならば送信電力を上げる旨の送信電力制御コマンドを生成し、その比が目標品質よりも上ならば送信電力を下げる旨の送信電力制御コマンドを生成する。
【００６０】
この送信電力制御の目標品質は、緊急性が必要なサービスやある程度の精度が必要なサービス、その他の特別なサービスにおいて適宜変更する。例えば、緊急呼び出し（エマージェンシーコール）等の緊急性が必要なサービスやダイバーシチハンドオーバ等の精度が必要なサービスでは目標品質をより高くし、緊急性が不要であり、精度の荒いサービスに対してはあまり高くしないという制御を行なう。このような制御を行なうことによって、要求精度に応じた位置検出を行なうことができ、しかも他基地局への干渉信号の低減することができる。
【００６１】
位置検出においては、まず、アンテナ２１２で受信された信号は、受信ＲＦ部２１５にて、増幅され、中間周波数又はベースバンド周波数に周波数変換される。受信ＲＦ部２１５の出力信号は、マッチドフィルタ２１８にて固有の拡散符号で逆拡散され、遅延プロファイル測定回路２３０及び選択回路２２７に出力される。
【００６２】
同様に、アンテナ２１３で受信された信号は、受信ＲＦ部２１６にて、増幅され、中間周波数又はベースバンド周波数に周波数変換される。受信ＲＦ部２１６の出力信号は、マッチドフィルタ２１９にて固有の拡散符号で逆拡散され、遅延プロファイル測定回路２３０及び選択回路２２８に出力される。
【００６３】
また、アンテナ２１４で受信された信号は、受信ＲＦ部２１７にて、増幅され、中間周波数又はベースバンド周波数に周波数変換される。受信ＲＦ部２１７の出力信号は、マッチドフィルタ２２０にて固有の拡散符号で逆拡散され、遅延プロファイル測定回路２３０及び選択回路２２９に出力される。
【００６４】
遅延プロファイル測定回路２３０では、マッチドフィルタ２１８〜２２０の出力信号の遅延プロファイルが測定され、タイミング検出回路２２２では、各受信信号の到達時刻が検出され、検出された中で最も速い信号（先行波）の到達時刻の情報が、選択回路２２７〜２２９及び位置検出回路２２４に出力される。
【００６５】
選択回路２２７〜２２９では、それぞれタイミング検出回路２２２から出力された情報に基づいて、最も速い信号の到達時刻におけるマッチドフィルタ２１８〜２２０の出力信号が到来方向推定回路２２１に出力される。
【００６６】
到来方向推定回路２２１では、選択回路２２７〜２２９の出力信号に基づいて、受信信号の到来方向が推定され、さらに自局に対する端末装置の方向角が検出され、検出された方向角の情報が位置検出回路２２４に出力される。
【００６７】
位置検出回路２２４では、最も速い信号の到達時刻の情報とタイミングオフセット情報から伝搬遅延が測定され、自局と通信端末装置との距離が算出される。そして、自局と通信端末装置との距離及び方向角を示す端末位置情報が、無線ネットワークコントローラに出力される。
【００６８】
このように、無線ネットワークコントローラから送信電力制御のための目標品質をダイバーシチハンドオーバ対象の基地局に対して同時に指示する処理、すなわちダイバーシチハンドオーバ対象の全基地局に同一の値を送るという簡易な処理によって、ダイバーシチハンドオーバ中でも正しく位置検出を行なうことができ、かつ、他基地局への干渉信号を低減することができる。したがって、受信品質が不安定であるダイバーシチハンドオーバ中においても支障なく位置検出できるレベルに送信電力を制御することが可能となる。
【００６９】
上記実施の形態においては、ダイバーシチハンドオーバーにおいて位置検出を行なう際に、送信電力制御の目標品質を変更する場合について説明しているが、本発明は、このような状況のみに限定されず、基地局を制御する制御局からの指示を種々変更することにより、ある特定の状況下において、又はある特定のサービスを提供する場合において送信電力制御の動作を変更する場合にも適用することができる。
【００７０】
【発明の効果】
以上説明したように本発明によれば、ダイバーシチハンドオーバ中の位置検出時の送信電力制御において、制御局装置が、通信端末装置と通信中の無線基地局装置に位置検出を実行するのに十分な目標品質を示す情報を報知し、当該無線基地局装置が、その目標品質で送信電力制御を行うことにより、受信品質が不安定であるダイバーシチハンドオーバ中においても支障なく位置検出できるレベルに送信電力を制御することが可能となる。これにより、位置検出の精度が向上する。
【００７１】
さらに、この送信電力制御の目標品質は、緊急性が必要なサービスにおいては目標品質をより高くし、緊急性がなく精度の荒いサービスに対してはあまり高くしないという制御を行なうことによって、要求精度に応じた送信電力制御を行なうことができ、他基地局への干渉信号の低減をも実現することができる。
【図面の簡単な説明】
【図１】本発明の実施の形態に係る無線基地局装置、通信端末装置である移動局装置、及び無線基地局装置を制御する無線ネットワークコントローラの構成を示すブロック図
【図２】上記実施の形態に係る無線基地局装置の構成を示すブロック図
【図３】上記実施の形態において、図２に示す無線基地局装置と通信を行なう端末装置の構成を示すブロック図
【図４】先行波、遅延波のパワーと時間の関係を示す図
【図５】端末装置の位置検出を説明するための説明図
【図６】端末装置の位置検出を説明するためのスロット図
【符号の説明】
１０１，１０２  基地局
１０３  端末装置
１０４  無線ネットワークコントローラ
２０１，２１２〜２１４，３０１  アンテナ
２０２，３０２  アンテナ共用器
２０３，２１５〜２１７  受信ＲＦ部
２０４，２１８〜２２０  マッチドフィルタ
２０５〜２０６  チャネル推定回路
２０７  ＲＡＫＥ合成回路
２０８  送信電力制御回路
２０９  多重回路
２１０  変調回路
２１１  送信ＲＦ部
２２１  到来方向推定回路
２２２，２３１  タイミング検出回路
２２４  位置検出回路
【図１】
0003589879.tif 000002
【図２】
0003589879.tif 000003
【図３】
0003589879.tif 000004
【図４】
0003589879.tif 000005
【図５】
0003589879.tif 000006
【図６】
0003589879.tif 000007